(57)【要約】【課題】  外光が大きく減少したときに速やかに照度を上昇させることができる照明装置を提供する。【解決手段】  ステップＳ５において照度の急激な変動が検出され、且つステップＳ６において照度が所定値未満となったことが検出されたときには、通常調光よりも速く調光比を上昇させる急速調光が開始される。通常調光では調光比の変化速度を比較的に遅くして不快感を低く抑えながらも、外光が大きく減少したときには調光比の変化速度を比較的に速くする急速調光によって速やかに照度を上昇させることができる。【選択図】図１
2010033848.tif 000002
【特許請求の範囲】
【請求項１】
供給される電力に応じて光出力が変化する電気的な光源に電力を供給して点灯させる点灯部と、
点灯部が点灯させる光源の光が照射される面の照度を所定の検出時間おきに検出する照度検出部と、
照度検出部によって検出された照度の履歴が格納される記憶部と、
照度検出部によって検出される照度を予め定められた目標照度とする方向に単位時間当りに所定の光出力変更幅ずつ光源の光出力を変化させるように点灯部を制御する制御部とを備え、
制御部は、照度検出部が検出して記憶部に格納された照度のうち新しいものから所定個数の中での最大値と最小値との差である変動幅を随時演算するとともに、得られた変動幅を所定の判定幅と比較し、変動幅が判定幅以上であった場合には、光出力変更幅を一時的に大きくすることを特徴とする照明装置。
【請求項２】
判定幅は、外光がない状態で点灯部が点灯させる光源の光出力を最大としたときの照度の５０％とされていることを特徴とする請求項１記載の照明装置。
【請求項３】
制御部は、変動幅が判定幅以上であった場合でも、照度検出部が検出した最新の照度が所定の判定照度を上回っていれば、光出力変更幅を変化させないことを特徴とする請求項１又は請求項２記載の照明装置。
【請求項４】
判定照度は、外光がない状態で点灯部が点灯させる光源の光出力を最大としたときの照度の５０％とされていることを特徴とする請求項３記載の照明装置。
【発明の詳細な説明】
【技術分野】
【０００１】
本発明は、照明装置に関するものである。
【背景技術】
【０００２】
従来から、電気的な光源を点灯させる照明装置として、光源の光が照射される面の照度を検出する照度検出部を備え、照度検出部によって検出された検出照度を予め定められた目標照度とする方向に単位時間当りに所定の光出力変更幅ずつ光源の光出力を変化させる照明装置が提供されている（例えば、特許文献１参照）。
【０００３】
この種の照明装置によれば、照明装置が点灯させる光源以外の太陽などの外部光源からの光（以下、「外光」と呼ぶ。）が多い昼間には光源の光出力を低くして消費電力を抑えながらも、外光が少なくなる夜間には光源の光出力を高くすることで外光の多少によらず照度を略一定に保つことができる。
【特許文献１】特許第３８７７３４２号公報
【発明の開示】
【発明が解決しようとする課題】
【０００４】
従来は、上記の光出力変更幅（すなわち光源の光出力を変化させる速さ）は、検出照度と目標照度との差によって変更されるようなことがなかった。このため、例えばカーテンを閉めた直後に、光源の光出力が十分に上昇するまでに時間がかかっていた。
【０００５】
本発明は、上記事由に鑑みて為されたものであり、その目的は、外光が大きく減少したときに速やかに照度を上昇させることができる照明装置を提供することにある。
【課題を解決するための手段】
【０００６】
請求項１の発明は、供給される電力に応じて光出力が変化する電気的な光源に電力を供給して点灯させる点灯部と、点灯部が点灯させる光源の光が照射される面の照度を所定の検出時間おきに検出する照度検出部と、照度検出部によって検出された照度の履歴が格納される記憶部と、照度検出部によって検出される照度を予め定められた目標照度とする方向に単位時間当りに所定の光出力変更幅ずつ光源の光出力を変化させるように点灯部を制御する制御部とを備え、制御部は、照度検出部が検出して記憶部に格納された照度のうち新しいものから所定個数の中での最大値と最小値との差である変動幅を随時演算するとともに、得られた変動幅を所定の判定幅と比較し、変動幅が判定幅以上であった場合には、光出力変更幅を一時的に大きくすることを特徴とする。
【０００７】
この発明によれば、変動幅が判定幅以上となるほど急激に外光が低下した場合には光出力変更幅を一時的に大きくするから、光出力変更幅を変更しない場合に比べ、速やかに照度を上昇させることができる。
【０００８】
請求項２の発明は、請求項１の発明において、判定幅は、外光がない状態で点灯部が点灯させる光源の光出力を最大としたときの照度の５０％とされていることを特徴とする。
【０００９】
請求項３の発明は、請求項１又は請求項２の発明において、制御部は、変動幅が判定幅以上であった場合でも、照度検出部が検出した最新の照度が所定の判定照度を上回っていれば、光出力変更幅を変化させないことを特徴とする。
【００１０】
この発明によれば、照度が十分に確保されているときに光出力変更幅が無駄に大きくされることを避けることができる。
【００１１】
請求項４の発明は、請求項３の発明において、判定照度は、外光がない状態で点灯部が点灯させる光源の光出力を最大としたときの照度の５０％とされていることを特徴とする。
【発明の効果】
【００１２】
請求項１の発明によれば、変動幅が判定幅以上となるほど急激に外光が低下した場合には光出力変更幅を一時的に大きくするから、光出力変更幅を変更しない場合に比べ、速やかに照度を上昇させることができる。
【００１３】
請求項３の発明によれば、変動幅が判定幅以上であった場合でも、照度検出部が検出した最新の照度が所定の判定照度を上回っていれば、光出力変更幅を変化させないから、照度が十分に確保されているときに光出力変更幅が無駄に大きくされることを避けることができる。
【発明を実施するための最良の形態】
【００１４】
以下、本発明を実施するための最良の形態について、図面を参照しながら説明する。
【００１５】
本実施形態の照明装置１は、図２及び図３に示すように、主光源Ｌ１を点灯させる主点灯部１１と、補助光源Ｌ２を点灯させる補助点灯部１２と、後述するリモコン装置３から送信されるワイヤレス信号を受信する受信部１３と、主光源Ｌ１や補助光源Ｌ２によって照明される床面や机上面等の面（以下、「被照面」と呼ぶ。）の照度（以下、「被照面照度」と呼ぶ。）を検出する照度検出部１４と、周知の記憶装置からなり照度検出部１４によって検出された照度の履歴が格納される記憶部１５と、受信部１３に受信されたワイヤレス信号や照度検出部１４に検出された照度に応じて主点灯部１１と補助点灯部１２とをそれぞれ制御する制御部１６とを備える。
【００１６】
制御部１６は、例えばプログラムが格納されたメモリと該メモリに格納されたプログラムに従って動作するマイコンとを備える。制御部１６が、受信部１３に受信されたワイヤレス信号に応じて、主点灯部１１や補助点灯部１２に行わせる動作としては、主光源Ｌ１や補助光源Ｌ２の点灯・消灯や光出力の変更などがある。
【００１７】
照度検出部１４は、主光源Ｌ１や補助光源Ｌ２から出射して被照面において反射した光が入射する受光素子を備え、受光素子に入射した光量に応じた電圧値の照度検出電圧を出力するものである。受光素子としては、例えばＣｄＳやフォトダイオードを用いることができる。このような照度検出部１４は周知技術で実現可能であるので、詳細な図示並びに説明は省略する。照度検出部１４の受光素子の位置において、被照面からの反射光による照度は、被照面照度に比例するから、照度検出部１４が出力する照度検出電圧を一定とするようにフィードバック制御を行えば、被照面照度を一定とすることができる。
【００１８】
図３（ａ）（ｂ）に示すように、主光源Ｌ１は円環形状の蛍光灯であって、主点灯部１１は、例えば、外部の交流電源に接続されてノイズを除去するフィルタ回路と、フィルタ回路を介して外部の交流電源から供給された交流電力を所定の電圧の直流電力に変換する力率改善回路と、力率改善回路が出力した直流電力を交流電力に変換して主光源Ｌ１に供給するインバータ回路とを有する周知の電子安定器である。そして、制御部１６は、主点灯部１１を制御して主光源Ｌ１への供給電力を変化させることにより主光源Ｌ１の光出力を変化させることが可能となっている。制御のために制御部１６から主点灯部１１に入力される信号は、例えば周波数約１ｋＨｚのＰＷＭ信号である。制御部１６は、主光源Ｌ１の光出力と前記ＰＷＭ信号のデューティ比との対応関係を示すデータテーブルを予め保持しており、このデータテーブルを用いて、前記ＰＷＭ信号のデューティ比を、所望の光出力に応じたデューティ比とする。主点灯部１１は制御部１６から入力されたＰＷＭ信号のデューティ比に応じて主光源Ｌ１への供給電力を変化させ、これによって主光源Ｌ１の光出力が変化する。このような主点灯部１１は周知技術で実現可能であるので、詳細な図示並びに説明は省略する。また、制御部１６は、現在の動作状態（例えば、主光源Ｌ１のオンオフや光出力）を示す情報を記憶部１５に随時格納しており、制御部１６は、受信部１３に受信されたワイヤレス信号が同じであっても、記憶部１５に保持された動作状態に応じて異なる動作をする場合がある。例えば、主光源Ｌ１の定格電力での点灯（以下、「定格点灯」と呼ぶ。）を指示するワイヤレス信号が受信部１３に受信されたとき、記憶部１５に保持された動作状態が消灯状態であれば、制御部１６は主光源Ｌ１を始動して定格点灯を開始させるように主点灯部１１を制御するのに対し、記憶部１５に保持された動作状態が点灯状態であれば、定格点灯中の光出力に対する主光源Ｌ１の光出力の比（以下、「調光比」と呼ぶ。）を１００％とするまで調光比を徐々に変化させるように主点灯部１１を制御する。
【００１９】
また、補助光源Ｌ２はいわゆる常夜灯であり、複数個（図では８個）の発光ダイオードからなる。補助点灯部１２は、商用電源のような外部の交流電源（図示せず）から供給された交流電力を所定の電圧の直流電力に変換して補助光源Ｌ２に供給する周知の直流電源回路である。このような補助点灯部１２は周知技術で実現可能であるので、詳細な図示並びに説明は省略する。
【００２０】
さらに、本実施形態におけるワイヤレス信号は赤外光を媒体としており、受信部１３は、赤外光を受光して電気信号に変換する周知の受光素子１３ａ（図３（ａ）参照）を有する。
【００２１】
また、本実施形態の照明装置１は、図３（ａ）（ｂ）に示すような照明器具２に用いられる。この照明器具２は、主点灯部１１と補助点灯部１２と制御部１６とがそれぞれ実装された半円形状のプリント配線板Ｐと、円板形状であってプリント配線板Ｐを収納するとともに受信部１３の受光素子１３ａと主光源Ｌ１と補助光源Ｌ２とをそれぞれ下側に保持する器具本体２０と、透光性を有する例えばアクリル樹脂のような材料からなり下方に膨出したドーム形状であって器具本体２０の下側に被着されて下方から見て主光源Ｌ１と補助光源Ｌ２とを覆うカバー２１と、不透明な材料からなり下方から見てカバー２１を囲む環形状であって下方から見てカバー２１とともに器具本体２０を覆う枠体２２とを備える。照度検出部１４は、枠体２２に保持されており、主光源Ｌ１の光や補助光源Ｌ２の光の、照度検出部１４への直接の入射は、枠体２２によって阻止される。
【００２２】
主光源Ｌ１は、中心軸を上下方向に向けて、つまり下方から見て環形状となる形で、器具本体２０に保持される。また、器具本体２０の下面は主光源Ｌ１や補助光源Ｌ２の光を反射するように例えば白色とされている。さらに、器具本体２０とカバー２１とはそれぞれ下方から見て互いに重なる円形状となっていて、主光源Ｌ１は下方から見て器具本体２０やカバー２１と同心円となる形で器具本体２０に保持される。
【００２３】
また、器具本体２０の下方から見て中央部には、天井面ＣＥに配設されたレセプタクル（図示せず）に電気的且つ機械的に接続されるプラグ２３が固定されている。照明装置１の電源は、上記のレセプタクルとプラグ２３とを介して供給される。器具本体２０は、厚さ方向を上下方向に向け、上面を天井面ＣＥに近接させて、プラグ２３において天井面ＣＥから吊下げ支持される。レセプタクルは具体的には例えば周知の引掛ローゼットであり、プラグ２３は例えば周知の引掛シーリングキャップである。また、受信部１３の受光素子１３ａと補助光源Ｌ２とは、それぞれ器具本体２０の下面に直方体形状に突出する凸台部２０ａの下面に露出する形で器具本体２０に保持されている。
【００２４】
一方、受信部１３に対してワイヤレス信号を送信するリモコン装置３は、操作入力を受け付ける操作部３１と、ワイヤレス信号を送信する送信部３２と、操作部３１に受け付けられた操作入力に応じて送信部３２を制御する制御部３３とを備える。
【００２５】
操作部３１は、図４に示すように複数個の押釦スイッチ３１ａ〜３１ｃを有する。
【００２６】
送信部３２は、例えば複数個（図では３個）の赤外発光ダイオード３２ａを有する。
【００２７】
制御部３３は、例えばプログラムが格納されたメモリとメモリに格納されたプログラムに従って動作するマイコンとからなり、操作部３１に受け付けられた操作入力に応じたワイヤレス信号を送信するように送信部３２を制御する。
【００２８】
また、リモコン装置３は、扁平な直方体形状であって押釦スイッチ３１ａ〜３１ｃを一面に露出させる形で操作部３１を保持するとともに送信部３２と制御部３３とをそれぞれ収納保持したハウジング３０を備える。ハウジング３０において送信部３２の赤外発光ダイオード３２ａを覆う部位は赤外光を透過させる材料で構成されている。
【００２９】
以下、本実施形態の動作について説明する。
【００３０】
制御部１６は、受信部１３に受信されたワイヤレス信号に応じて、主光源Ｌ１や補助光源Ｌ２をワイヤレス信号に示された調光比で点灯させるように主光源点灯部１１や補助光源点灯部１２を制御する手動調光モードと、照度検出部１４が出力する照度検出電圧を所定の目標値とするように主光源点灯部１１を制御することによって被照面照度を一定とする自動調光モードとの動作を切り換える。手動調光モードでの動作については、周知技術で実現可能であるので説明は省略する。
【００３１】
ここで、照度検出電圧は、被照面で反射して照度検出部１４の受光素子に入射する反射光の強さに比例するので、被照面照度（以下、単に「照度」と呼ぶ。）と照度検出電圧との関係は、照度検出部１４の受光素子と被照面との距離や被照面の反射率によって異なる。従って、自動調光モードにおいて照度検出電圧の目標値を常に一定とした場合、被照面の反射率が低い場合には照度に対して調光比を高くしすぎ、逆に被照面の反射率が高い場合には照度に対して調光比を低くしすぎるといったことが考えられる。そこで、自動調光モードで動作させるためには、まず、実際に自動調光モードでの動作が実行される環境下で、照度検出部１４が出力する照度検出電圧の目標値（以下、「目標照度電圧」と呼ぶ。）を設定する必要がある。目標照度電圧を設定するためには、使用者は、外光を完全に遮断した状態で、リモコン装置３の所定の押釦スイッチ３１ｃを押操作することにより、目標照度電圧の設定を指示するワイヤレス信号をリモコン装置３の送信部３２から照明装置１の受信部１３へ送信させればよい。照明装置１の制御部１６は、目標照度電圧の設定を指示するワイヤレス信号が受信部１３に受信されると、まず、補助光源Ｌ２を消灯させて主光源Ｌ１を所定の調光比で点灯させる。このときの主光源Ｌ１の調光比は、外光が全くないとした場合において目標とする照度（本実施形態では５６０ｌｘ。以下、「目標照度」と呼ぶ。）が得られるときの調光比（以下、「基準調光比」と呼ぶ。）とされ、これは本実施形態では８０％である。この状態で、制御部１６は、照度検出部１４から得られた照度検出電圧を、目標照度電圧として記憶部１５に格納する。なお、上記の所定の調光比を１００％とし、得られた照度検出電圧に、予め記憶部１５に格納された係数を乗じることによって目標照度電圧を得てもよく、この場合における前記係数は、例えば０．８といったように、１以下の数となる。本実施形態の自動調光モードの動作の概要を図５に示す。図５において、横軸は外光のみによる照度（ｌｘ）であり、破線Ａで示すグラフの縦軸は主光源Ｌ１のみによる照度（ｌｘ）であり、実線Ｂで示すグラフの縦軸は外光と主光源Ｌ１の光とを合わせた照度（ｌｘ）である。外光が全くないときには調光比は８０％とされる。また、本実施形態では調光比の下限は１０％（７０ｌｘ分）となっているため、上記のように目標照度を５６０ｌｘとすると、外光が４９０ｌｘ以下であれば外光の増加に従って調光比を低下させることにより照度を一定に保つことが可能であるが、外光が４９０ｌｘ以上となると外光の増加に関わらず調光比が１０％（主光源Ｌ１による照度が７０ｌｘ）に維持されることにより外光の増加に伴って照度が増大する。
【００３２】
次に、本発明の要旨である自動調光モードでの動作について、図１の流れ図を用いて説明する。制御部１６は、自動調光モードへの切り換えを指示するワイヤレス信号が受信部１３に受信されて自動調光モードを開始すると（Ｓ１）、まず後述するカウント数ｎ，ｍをそれぞれ０に戻す（リセットする）とともに調光比を所定の初期調光比とする初期化を行う（Ｓ２）。初期調光比は１００％であってもよいし、上記の基準調光比であってもよい。さらに、制御部１６は、照度検出電圧を記憶部１５に格納するとともに測定回数ｎに１を加算する（Ｓ３）。次に、制御部１６は、照度の検出が４回目以降であるか否か、すなわち記憶部１５に４個以上の照度検出電圧が格納されているか否かを判定し（Ｓ４）、記憶部１５に格納された照度検出電圧が４個未満であればステップＳ３に戻る。ステップＳ３，Ｓ４の繰り返し周期は１秒とされ、すなわち記憶部１５への照度検出電圧の格納（照度の検出）は１秒毎に行われる。ステップＳ４において、記憶部１５に４個以上の照度検出電圧が格納されていれば、最新の４個の照度検出電圧のうちの最大値と最小値との差（以下、「変動電圧幅」と呼ぶ。）を演算し、得られた変動電圧幅を所定の判定電圧幅と比較する（Ｓ５）。変動電圧幅が判定電圧幅以上（つまり照度の変動幅が請求項での判定幅に相当する所定値以上）であれば、制御部１６は、さらに最新の照度検出電圧を所定の判定照度電圧と比較する（Ｓ６）。ステップＳ５で変動電圧幅が判定電圧幅未満（つまり照度の変動幅が請求項での判定幅に相当する所定値未満）であれば、または、ステップＳ６において最新の照度検出電圧が判定照度電圧以上（つまり、照度が請求項における判定照度に相当する所定値以上）であれば、制御部１６は、後述するような急速調光には移行せず、測定回数ｎが１０に達したか否かを判定し（Ｓ７）、達していなければステップＳ３に戻る。本実施形態では、上記の判定電圧幅と判定照度電圧とは、それぞれ外光がない状態で調光比を５０％とした状態での照度（３５０ｌｘ）に相当する電圧値としている。つまり、本実施形態では、請求項でいうところの判定幅と判定照度とを、ともに、外光がない状態で主光源Ｌ１を定格電力で（つまり最大の光出力で）点灯させたときの照度（７００ｌｘ）の５０％（３５０ｌｘ）としている。
【００３３】
ステップＳ７において測定回数ｎが１０に達していた場合、制御部１６は、測定回数ｎをリセットするとともに、通常の調光動作（以下、「通常調光」と呼ぶ。）を開始する。通常調光においては、制御部１６は、まず、記憶部１５に格納された最新の１０個の照度検出電圧のうち、最高値と最低値とを除く８個の平均値である平均照度電圧を演算し（Ｓ８）、この平均照度電圧を目標照度電圧に近づける方向に２％だけ調光比を変化させる（Ｓ９）。上記のように平均照度電圧を用いることで、例えば照度検出部１４の検出範囲を人が通過したときのような一時的な照度検出部１４の出力の変化を除外し、調光比が無駄に変化させられることを避けることができる。その後、制御部１６は、再び照度検出部１４から照度検出電圧を得て、これを記憶部１５に格納するとともに目標照度電圧と比較し（Ｓ１０）、照度検出電圧が目標照度電圧の±５％の範囲内に入っていなければ、つまり照度が目標照度に一致したと見なせるような目標照度圏内に入っていなければ、制御部１６は調光回数ｍに１を加算するとともに（Ｓ１１）、調光回数ｍが１０に達したか否かを判定し（Ｓ１２）、達していなければステップＳ９に戻って通常調光を継続する一方、調光回数ｍが１０に達していれば（すなわち調光比を合計２０％変化させていれば）、通常調光をいったん終了し、調光回数ｍをリセット（Ｓ１３）した後にステップＳ３に戻る。通常調光において、ステップＳ９〜Ｓ１２の繰り返し周期は１秒間に１回とされている。すなわち、通常調光においては、１秒間に２％ずつ調光比が変化する。また、ステップＳ１０において、照度検出電圧が目標照度電圧の±５％の範囲内に入っていれば、つまり照度が目標照度圏内に入っていれば、通常調光を終了し、ステップ１３に進んで調光回数ｍをリセットした後、ステップＳ３に戻る。
【００３４】
また、ステップＳ５で変動電圧幅が判定電圧幅以上（つまり照度の変動幅が請求項での判定幅に相当する所定値以上）であって、且つ、ステップＳ６において最新の照度検出電圧が判定照度電圧未満（つまり、照度が請求項における判定照度に相当する所定値未満）であれば、制御部１６は、測定回数ｎをリセットする（Ｓ１４）とともに、通常調光よりも速く調光比を上昇させる調光動作（以下、「急速調光」と呼ぶ。）を開始する。急速調光においては、制御部１６は、最新の照度検出電圧と目標照度電圧との中間の値まで照度検出電圧を上昇させるために上昇させるべき調光比の幅（以下、「上昇幅」と呼ぶ。）を演算するとともに、得られた上昇幅の分だけ、０．１秒に１％ずつ調光比を上昇させる（Ｓ１５）。つまり、急速調光中には秒当り１０％という速さで調光比が上昇するのであり、秒当り２％しか調光比が変化しない通常調光中よりも調光比の変化が速くされている。上昇幅分の調光比の変更が終了すると、制御部１６は、再び照度検出部１４から照度検出電圧を得て、これを記憶部１５に格納するとともに目標照度電圧と比較し（Ｓ１６）、照度検出電圧が目標照度電圧の±５％の範囲内に入っていれば、つまり照度が目標照度圏内に入っていれば、急速調光を終了してステップＳ３に戻る。また、ステップＳ１６において照度検出電圧が目標照度電圧の±５％の範囲内に入っていなければ、ステップＳ１５に戻って急速調光を継続する。
【００３５】
急速調光中の照度変化の一例を図６に示す。図６において、横軸は時間を示し、縦軸は、外光がない状態で主光源Ｌ１を定格点灯させた（つまり調光比を１００％とした）状態での照度検出電圧を１００％としたパーセンテージで、照度検出電圧を表現している。すなわち、目標照度電圧は８０％に相当する。
【００３６】
図６の例について説明する。自動調光モードへの切換時点（以下、単に「切換時点」と呼ぶ。）ｔ０には調光比は最低値の１０％とされており、切換時点ｔ０から１秒後に１回目の照度が検出される時点ｔ１までは、照度検出電圧は１１０％となっている。つまり、この間の外光による照度は上記の表現で１００％相当の７００ｌｘである。しかし、上記の時点ｔ１から２秒後（すなわち切換時点ｔ０から３秒目）の時点ｔ３にかけて、カーテンを閉じたことにより急激に外光が１０％相当（７０ｌｘ）にまで減少し、照度検出電圧は２０％となっている。さらに１秒後の時点ｔ４において記憶部１５に格納された照度検出電圧が４個となることにより上記のステップＳ５，Ｓ６の判定が行われ、いずれの判定結果もＹ（ＹＥＳ）となることにより、制御部１６は急速調光を開始する。このとき、目標照度電圧が上記の表記で８０％であることから、ステップＳ１５で得られる上昇幅は（８０−２０）÷２＝３０％となり、切換時点ｔ０から５秒目の時点ｔ５より３秒かけて調光比を４０％まで上昇させることで照度検出電圧を５０％とする。この時点では照度検出電圧は目標照度電圧の±５％である７６％〜８４％の範囲内に入っていないので、さらに急速調光が継続される。次の上昇幅は（８０−５０）÷２＝１５％となり、切換時点ｔ０から９秒目の時点ｔ９から１．５秒かけて調光比を５５％まで上昇させることで照度検出電圧を６５％とする。しかし、まだ照度検出電圧が上記範囲内に入っていないので、さらに急速調光が継続される。次の上昇幅は（８０−６５）÷２＝７．５％となり、切換時点ｔ０から１２秒目の時点ｔ１２より０．７５秒かけて調光比を６２．５％まで上昇させることで照度検出電圧を７２．５％とする。未だ照度検出電圧が上記範囲内に入っていないので、さらに急速調光が継続される。次の上昇幅は（８０−７２．５）÷２＝３．７５％となり、切換時点ｔ０から１４秒目の時点ｔ１４より０．３７５秒かけて調光比を６６．２５％まで上昇させることで照度検出電圧を７６．２５％とする。ここにおいて照度検出電圧が７６％を上回ったことにより、急速調光が終了される。
【００３７】
上記構成によれば、通常調光では調光比の変化速度（すなわち主光源Ｌ１の光出力の変化速度）を比較的に遅くして主光源Ｌ１の光出力の変化による不快感を低く抑えながらも、外光が大きく減少したときには調光比の変化速度を比較的に速くする急速調光によって速やかに照度を上昇させることができる。
【００３８】
なお、急速調光に移行する条件は上記に限られず、例えばステップＳ６の判定照度電圧による判定を行わずにステップＳ５の判定幅による判定のみで急速調光に移行するようにしてもよいし、判定照度電圧や判定幅を上記の実施形態とは異なる値としてもよい。
【００３９】
また、急速調光の具体的な動作も上記に限られず、例えば、最初のステップ１５においてある程度調光比を上昇させた後、ステップＳ１６の判定を行わずに急速調光を終了してステップＳ３に戻るようにしてもよい。さらに、ステップＳ１５で上昇させる調光比の幅も上記に限られず、１回のステップＳ１５で、照度を目標照度とするような調光比まで上昇させるようにしてもよい。
【００４０】
さらに、制御部１６が照度検出部１４から照度検出電圧を得る際に、０．１秒間隔で３回得られた照度検出電圧の平均値を用いることでノイズの影響を低減してもよい。
【００４１】
また、主光源Ｌ１や補助光源Ｌ２も適宜変更が可能であり、例えば主光源Ｌ１に白熱灯を用いたり、補助光源Ｌ２に豆電球と呼ばれる小型の白熱灯を用いたりしてもよい。この場合、主光源点灯部１１は位相制御によって主光源Ｌ１の光出力を変更する。このような主光源点灯部１１は周知技術で実現可能であるので、詳細な図示並びに説明は省略する。
【００４２】
さらに、ワイヤレス信号の媒体は赤外光に限られず、例えば微弱無線のような電波を用いてもよい。
【００４３】
また、照明器具２の形状や各部の配置は適宜変更可能である。
【００４４】
さらに、本実施形態では１個の照明器具２に１個の制御部１６が設けられているが、１個の制御部１６で複数個の照明器具２の主光源点灯部１１や補助光源点灯部１２をそれぞれ制御する構成としてもよい。このような構成は周知技術で実現可能であるので、詳細な図示並びに説明は省略する。
【図面の簡単な説明】
【００４５】
【図１】本発明の実施形態の自動調光モードでの動作を示す流れ図である。
【図２】同上の概略構成を示すブロック図である。
【図３】（ａ）（ｂ）はそれぞれ同上を用いた照明器具を示し、（ａ）はカバーを取り外した下面図、（ｂ）は正面図である。
【図４】図３の照明器具とともに用いられるリモコン装置を示す平面図である。
【図５】同上の自動調光モードでの動作の一例を示す説明図である。
【図６】同上の急速調光時の動作の一例を示す説明図である。
【符号の説明】
【００４６】
１  照明装置
１１  主点灯部（請求項における点灯部）
１４  照度検出部
１５  記憶部
１６  制御部
Ｌ１  主光源（請求項における光源）
【図１】
2010033848.tif 000003
【図２】
2010033848.tif 000004
【図３】
2010033848.tif 000005
【図４】
2010033848.tif 000006
【図５】
2010033848.tif 000007
【図６】
2010033848.tif 000008